(57)【特許請求の範囲】
【請求項１】
画像を入力する画像入力手段と、
各種テンプレートを管理するテンプレート管理手段と、
前記テンプレート管理手段により管理されるテンプレートを読み出す毎に、前記テンプレートの使用頻度の統計を更新する統計手段と、
前記テンプレート管理手段により管理されるテンプレートと前記画像入力手段により入力された画像とを合成する合成手段と、
前記合成手段により合成された合成画像を出力する出力手段と、
前記各種テンプレート毎に対応した基本料金を管埋する基本料金管理手段と、
前記統計手段により得られる使用頻度および前記基本料金管理手段から得られる基本料金に基づいて前記各種テンプレートの使用料金を決める料金決定手段とを備えたことを特徴とする画像編集装置。
【請求項２】
画像編集に対する顧客毎の利用頻度の統計をとる第２の統計手段を更に備え、
前記料金決定手段は、前記統計手段により得られる各種テンプレート毎の使用頻度および前記第２の統計手段により得られる顧客毎の利用頻度に基づいて前記各種テンプレートの使用料金を決定することを特徴とする請求項１に記載の画像編集装置。
【請求項３】
前記統計手段は、前記テンプレートの使用頻度を各種テンプレート毎に計数していく計数手段と、
前記計数手段により計数された計数結果を各種テンプレート毎に記憶しておく使用頻度記億手段とを具備することを特徴とする請求項１又は２に記載の画像編集装置。
【請求項４】
前記料金決定手段は、各種テンプレートの使用頻度に応じて、夫々の使用料金に係るデータを料金レートテーブルとして記憶し、前記基本料金記憶手段により記憶されている基本料金テーブルと前記料金レートテーブルとに基づいて前記各種情報の使用料金を決定することを特徴とする請求項１乃至３のいずれか１項に記載の画像編集装置。
【請求項５】
前記料金レートテーブルをテーブル単位で切換可能としたことを特徴とする請求項４に記載の画像編集装置。
【請求項６】
前記料金レートテーブルはマニュアル操作に応じて切り換えられることを特徴とする請求項５に記載の画像編集装置。
【請求項７】
前記料金レートテーブルは顧客毎に、各顧客の使用頻度に応じて切り換えられることを特徴とする請求項５に記載の画像編集装置。
【請求項８】
前記料金レートテーブルは、各種テンプレート毎に当該テンプレートの使用に応じて書き換えられることを特徴とする請求項４に記載の画像編集装置。
【請求項９】
前記テンプレートの使用頻度毎にその料金に係わるデータを記憶する課金テーブルを有し、該課金テーブルと前記統計手段により得られたテンプレート毎の使用頻度とを用いて前記料金レートテーブルを導出することを特徴とする請求項４に記載の画像編集装置。
【請求項１０】
前記課金テーブルをテーブル単位で切換可能としたことを特徴とする請求項９に記載の画像編集装置。
【請求項１１】
前記課金テーブルとして、マニュアル選択可能な複数の課金テーブルと、顧客に応じて選択可能な複数の課金テーブルとを有し、マニュアル選択された課金テーブルと顧客に応じて選択された課金テーブルとを用いて最終的な課金テーブルを導出することを特徴とする請求項１０に記載の画像編集装置。
【請求項１２】
前記各種テンプレートの夫々の使用料金に係わるデータを複数組、複数の料金テーブルとして記憶する記憶手段を有し、
前記料金決定手段は、当該複数の料金テーブルを選択的に用いて前記各種テンプレートの使用料金を決定することを特徴とする請求項１乃至１１のいずれか１項に記載の画像編集装置。
【請求項１３】
前記複数の料金テーブルはマニュアル操作に応じて選択されることを特徴とする請求項１２に記載の画像編集装置。
【請求項１４】
前記複数の料金テーブルは、各顧客の使用頻度に応じて選択されることを特徴とする請求項１２に記載の画像編集装置。
【請求項１５】
画像を入力するステップと、
各種テンプレートを管理するステップと、
前記管理されるテンプレートを読み出す毎に、前記テンプレートの使用頻度の統計を更新するステップと、
前記管理されるテンプレートと前記入力された画像とを合成するステップと、
前記合成された合成画像を出力するステップと、
前記各種テンプレート毎に対応した基本料金を管埋するステップと、
前記更新により得られる使用頻度および前記管理された基本料金に基づいて前記各種テンプレートの使用料金を決めるステップとを備えたことを特徴とする画像編集装置の制御方法。
【発明の詳細な説明】
【０００１】
【発明の属する技術分野】
本発明は画像編集装置及びその制御方法に関し、特にコンピュータ上で画像と合成されるテンプレートの利用料金の決定に関するものである。
【０００２】
【従来の技術】
従来、種々の分野において、サービス提供者が様々な情報をコンピュータや通信網等を通じて利用者に提供し、その情報の利用に応じて料金を徴収するといったシステムが提案されている。このようなサービスにおいては、サービス提供者の売り上げ管理や利益管理を適切に行うと同時に、利用者がサービスを利用しやすくするためにも、提供する情報に対する利用者への価格設定を適切に行うことが重要となる。
【０００３】
ここで、この種の従来システムにおける料金設定は、基本的にはあらかじめ決められた固定の料金体系の下で管理されるようになっていた。また、ある指定した日時の価格をあらかじめ決めておいた価格に設定変更するというシステムも採られていた。
【０００４】
【発明が解決しようとする課題】
前述のように、前記従来の技術では、あらかじめ決められた価格設定のみでサービスの売り上げ管理や利益管理が行われており、サービスの利用回数などの管理は行われていても、その利用情報はサービス利用の価格設定には反映されていなかった。しかしながら、このように固定の価格設定のみで売り上げ管理や利益管理を行っていたのでは、顧客に対してきめ細かなサービスを提供できない。また、売り上げ管理や利益管理に関しても、利用情報に基づいたきめ細かな管理を行うことは不可能であった。
【０００５】
本発明はこのような実情に鑑みてなされたものであり、画像との合成に使用されるテンプレートの提供者にとっても、その使用者にとっても適切な料金を常に迅速に設定でき、提供者の目的に合ったきめ細かな売り上げ管理や利益管理を行えるようにすることを課題としている。
【０００６】
【課題を解決するための手段】
本発明に係る画像編集装置は、画像を入力する画像入力手段と、各種テンプレートを管理するテンプレート管理手段と、前記テンプレート管理手段により管理されるテンプレートを読み出す毎に、前記テンプレートの使用頻度の統計を更新する統計手段と、前記テンプレート管理手段により管理されるテンプレートと前記画像入力手段により入力された画像とを合成する合成手段と、前記合成手段により合成された合成画像を出力する出力手段と、前記各種テンプレート毎に対応した基本料金を管埋する基本料金管理手段と、前記統計手段により得られる使用頻度および前記基本料金管理手段から得られる基本料金に基づいて前記各種テンプレートの使用料金を決める料金決定手段とを備えたことを特徴とする。
【０００７】
ここで、画像編集に対する顧客毎の利用頻度の統計をとる第２の統計手段を更に備え、前記料金決定手段は、前記統計手段により得られる各種テンプレート毎の使用頻度および前記第２の統計手段により得られる顧客毎の利用頻度に基づいて前記各種テンプレートの使用料金を決定してもよい。
【０００８】
また、前記統計手段は、前記テンプレートの使用頻度を各種テンプレート毎に計数していく計数手段と、前記計数手段により計数された計数結果を各種テンプレート毎に記憶しておく使用頻度記億手段とを具備してもよい。
【０００９】
更に、前記料金決定手段は、各種テンプレートの使用頻度に応じて、夫々の使用料金に係るデータを料金レートテーブルとして記憶し、前記基本料金記憶手段により記憶されている基本料金テーブルと前記料金レートテーブルとに基づいて前記各種情報の使用料金を決定してもよい。
【００１０】
ここで、前記料金レートテーブルをテーブル単位で切換可能としてもよい。
【００１１】
そして、前記料金レートテーブルはマニュアル操作に応じて切り換えられてもよい。
【００１２】
また、前記料金レートテーブルは顧客毎に、各顧客の使用頻度に応じて切り換えられてもよい。
【００１３】
更に、前記料金レートテーブルは、各種テンプレート毎に当該テンプレートの使用に応じて書き換えられてもよい。
【００１４】
また、前記テンプレートの使用頻度毎にその料金に係わるデータを記憶する課金テーブルを有し、該課金テーブルと前記統計手段により得られたテンプレート毎の使用頻度とを用いて前記料金レートテーブルを導出してもよい。
【００１５】
ここで、前記課金テーブルをテーブル単位で切換可能としてもよい。
【００１６】
そして、前記課金テーブルとして、マニュアル選択可能な複数の課金テーブルと、顧客に応じて選択可能な複数の課金テーブルとを有し、マニュアル選択された課金テーブルと顧客に応じて選択された課金テーブルとを用いて最終的な課金テーブルを導出してもよい。
【００１７】
前記各種テンプレートの夫々の使用料金に係わるデータを複数組、複数の料金テーブルとして記憶する記憶手段を有し、前記料金決定手段は、当該複数の料金テーブルを選択的に用いて前記各種テンプレートの使用料金を決定してもよい。
【００１８】
ここで、前記複数の料金テーブルはマニュアル操作に応じて選択されてもよい。
【００１９】
また、前記複数の料金テーブルは、各顧客の使用頻度に応じて選択されてもよい。
【００２０】
本発明に係る画像編集装置の制御方法は、画像を入力するステップと、各種テンプレートを管理するステップと、前記管理されるテンプレートを読み出す毎に、前記テンプレートの使用頻度の統計を更新するステップと、前記管理されるテンプレートと前記入力された画像とを合成するステップと、前記合成された合成画像を出力するステップと、前記各種テンプレート毎に対応した基本料金を管埋するステップと、前記更新により得られる使用頻度および前記管理された基本料金に基づいて前記各種テンプレートの使用料金を決めるステップとを備えたことを特徴とする。
【００２３】
【発明の実施の形態】
以下に、本発明の料金管理装置を適用した一実施形態を示す。以下の実施形態は、サービス提供者が画像編集を行うための情報をコンピュータや通信網等を通じて利用者に提供し、その情報の利用に応じて料金を徴収するといったシステムを想定している。
【００２４】
（第１の実施形態）
図１は本発明の料金管理装置を適用した画像編集装置のブロック構成図、図２は前記画像編集装置のソフトウェア構成図、図３は前記画像編集装置のソフトウェア関連図、図４は画像入力の流れを示すフローチャート、図５はテンプレートと入力した画像との合成の流れを示すフローチャート、図６はテンプレート管理の流れを示すフローチャートである。
【００２５】
図１の画像編集装置のブロック構成図において、本実施形態の画像編集装置は大きく分類すると、画像を入力するための画像入力装置１０２、入力した画像を処理するコンピュータ１００、処理した画像を表示したり種々の操作のための画面を表示したりする表示装置１０１、および処理した画像を出力するための画像出力装置１０３から構成される。
【００２６】
前記画像入力装置１０２は、カメラやスキャナなどの画像入力デバイスを用いることも可能であるが、図示しない他のコンピュータ等が保存している画像データを通信網を介して取得するための装置を用いることも可能である。例えば、画像編集のサービス提供者が持つホストコンピュータに保存されている画像データを通信網を介して画像入力装置１０２から入力するようにしても良い。
【００２７】
前記コンピュータ１００は、種々の処理を行うＣＰＵ１０４、コンピュータの基本制御ソフトウェアを記憶しておくＲＯＭ１０５、種々の処理を行うためのワーク領域などに使用するＲＡＭ１０６、表示装置１０１への表示を制御するための表示コントローラ１０７およびビデオＲＡＭ１０８、種々の処理のためのソフトウェアや各種管理テーブルなどを記憶し、これらを必要に応じて読み出して使用するための記憶装置としてのＨＤＤ（ハードディスク）１０９、データの受け渡し等に使用するＦＤＤ（フロッピーディスク）、画像入力装置１０２とのインターフェイスを行う画像入力インターフェイス１１１、画像出力装置１０３とのインターフェイスを行う画像出力インターフェイス１１２、上記各デバイスとＣＰＵ１０４とを接続し、データ交換を行うためのバス１１３、マニュアル操作可能な操作デバイス１１４から構成される。
【００２８】
また、図２において、本実施形態の画像編集装置のソフトウェア構成は、大きく分けて以下のように分類される。すなわち、画像を入力するための画像入力手段２００と、画像編集を行う際に使用する各種テンプレートを管理するためのテンプレート管理手段２０３と、画像入力手段２００により入力した画像とテンプレート管理手段２０３により管理されるテンプレート本体２１１とを合成するアプリケーション（合成手段）２０１と、合成手段２０１により合成された結果を出力するための出力手段２０２と、テンプレートの使用料金を決める料金決定手段２０４である。
【００２９】
前記テンプレート管理手段２０３は、テンプレート本体管理手段２０６、テンプレート料金管理手段２０７、および計数手段２０９を含む統計手段２０８を具備している。そして、各種テンプレートのシリアル番号一覧２０５の管理、テンプレート本体管理手段２０６によるテンプレート本体２１１の管理、テンプレート料金管理手段２０７による基本料金テーブル２１２の管理を行うとともに、統計手段２０８の管理の下で計数手段２０９により各種テンプレートの使用頻度を計数し、その計数結果を使用頻度２１３として記憶管理する処理を行う。
【００３０】
ここで、各種のテンプレート本体２１１、各種テンプレート毎に対応した基本料金テーブル２１２および各種テンプレート毎の使用頻度２１３は、図１のＨＤＤ１０９上においてテンプレートのシリアル番号２１０で互いに関連づけて管理される。また、各テンプレートのシリアル番号２１０は、シリアル番号一覧２０５により管理される。
【００３１】
前記料金決定手段２０４は、本実施形態では、各種テンプレートの使用頻度に対応した第１の料金レートテーブル２１４、第２の料金レートテーブル２１５および第３の料金レートテーブル２１６を有している。そして、例えばアプリケーション２０１からの要求に応じて、前記３つの料金レートテーブル２１４，２１５，２１６と前記基本料金テーブル２１２とによりテンプレートの使用料金を計算する。
【００３２】
例えば、第１の料金レートテーブル２１４は、通常定常的に使用されるテーブル、第２の料金レートテーブル２１５は、サービスの開始直後になるべく多数の顧客を確保するために使用されるテーブル、第３の料金レートテーブル２１６は、サービスの使用が進んだ場合に高い利益を上げるために使用されるテーブルであり、例えば図１のマニュアル操作デバイス１１４の操作に応じてどのテーブルを用いるかが決められる。テンプレートの使用料金は、基本料金とこれらのテーブルから得られるレートとを掛け算することにより求められる。
【００３３】
使用中の料金レートテーブル２１４〜２１６の例を、次の表１に示す。表１から明らかなように、テーブル２１４を使用する場合には、使用回数すなわち使用頻度が高くなればなるほど、基本料金に乗じる係数を小さくしている。これは、減価償却できたテンプレートについては安く提供するという思想からきており、ビジネス乗リスクの少ない料金決定が行える。一方、テーブル２１５は使用回数が少ないテンプレートについては安価で提供し、そのテンプレートの利用を促進しようとするものである。さらに、テーブル２１６については人気の高いテンプレートについては基本料金以上の料金を課すことで、大きな利益を上げるために利用されるものである。
【００３４】
【表１】
0003667031.tif 000002
【００３５】
ここで、この料金レートテーブル２１４〜２１６を得るための、頻度と料率との関係を表２に示す。このような使用回数と料率との対応関係は、後述のように別途課金テーブルとして記憶することも可能である。
【００３６】
【表２】
0003667031.tif 000003
【００３７】
なお、ここではテンプレート管理手段２０３および料金決定手段２０４を画像編集装置のコンピュータ１００内に設ける例を示しているが、これらを画像編集のサービス提供者が持つ図示しないホストコンピュータ等に設けるようにし、テンプレート本体２１１や決定した使用料金を通信網を介してコンピュータ１００に提供するように構成しても良い。
【００３８】
図３における画像編集装置のソフトウェア関連図は、画像の入力から出力までの前記各手段の関連や、テンプレート管理および料金決定に関する前記各手段の関連を示したものである。図３において、図１および図２に示した各ブロックと同じブロックには同一の符号を付している。
【００３９】
図３中の画像プール２１７は、画像入力装置１０２から画像入力手段２００により入力した画像データを保存するためのものであり、例えば図１のＲＡＭ１０６やＨＤＤ１０９の一部がこれに利用される。画像合成を行うアプリケーション２０１は、上記画像プール２１７から画像を取得するとともに、テンプレート管理手段２０３経由でテンプレート本体管理手段２０６を呼び出し、テンプレート本体２１１を取得する。そして、このように取得した画像とテンプレートとを合成し、その合成結果を出力手段２０２を介して出力装置１０３に出力する。
【００４０】
また、前記アプリケーション２０１は、テンプレート管理手段２０３経由でテンプレート料金管理手段２０７を呼び出し、各種テンプレートの基本料金テーブル２１２から前記取得したテンプレートの基本使用料金を取得する。さらに、対象とするテンプレートがこれまでにどれだけ使用されたかを知るために、テンプレート管理手段２０３経由で統計手段２０８を呼び出し、前記取得したテンプレートの使用頻度２１３を取得する。
【００４１】
そして、アプリケーション２０１は、このようにして取得したテンプレートの基本料金と使用頻度との各情報を料金決定手段２０４に渡す。料金決定手段２０４は、これが管理する３つの料金レートテーブル２１４〜２１６を用いてテンプレートの使用料金を決定する。ここで、使用頻度２１３は、テンプレート本体２１１の使用に応じて計数手段２０９により更新される。
【００４２】
上記図１〜図３により本発明の料金管理装置を適用した一実施形態である画像編集装置の構成を説明した。以下では、図４〜図６のフローチャートを用いて各処理の流れを説明する。
図４は、画像入力のフローチャートを示したものである。ステップＳ３００で画像入力手段２００により画像入力装置１０２から画像を入力し、ステップＳ３０１で前記入力した画像を画像プール２１７に保存する。
【００４３】
図５は、アプリケーション２０１によって行われる画像およびテンプレートの合成処理のフローチャートを示したものである。まずステップＳ３１０でアプリケーション２０１は、テンプレート管理手段２０３より図示しないテンプレート一覧を取得し、取得したテンプレートを表示装置１０１に表示する。ステップＳ３１１で利用者は、表示された種々のテンプレートの中から合成に使用するテンプレートを選択する。次に利用者は、ステップＳ３１２でテンプレートに合成する画像を画像プール２１７の中から選択する。
【００４４】
次に、アプリケーション２０１は、ステップＳ３１３で前記のようにして選択されたテンプレートと画像とを合成する。合成が終了すると、ステップＳ３１４で合成結果を出力手段２０２により出力装置１０３に出力する。続くステップＳ３１５においてアプリケーション２０１は、テンプレート管理手段２０３経由で使用テンプレートの基本料金を基本料金テーブル２１２から取得するとともに、統計手段２０８経由で使用頻度２１３に関する情報を取得する。そして、ステップＳ３１６で、前記ステップＳ３１５にて取得した各情報を料金決定手段２０４に渡し、料金レートテーブル２１４〜２１６を用いて使用料金を決定する。
【００４５】
図６は、テンプレート管理の概略フローチャートを示したものである。テンプレート管理手段２０３が呼び出されると、ステップＳ３２０でその呼び出しの要求内容の解析を行う。もしテンプレートの取得要求であれば、テンプレート管理手段２０３はテンプレート本体管理手段２０６を呼び出す。
【００４６】
この場合、テンプレート本体管理手段２０６は、ステップＳ３２１でテンプレート本体の要求かサムネイルの要求かを判断し、テンプレート本体の要求の場合には、ステップＳ３２２でテンプレート本体２１１を読み出し、それを要求元に渡す。そして、ステップＳ３２５で統計手段２０８内の計数手段２０９により、前記読み出したテンプレートの使用頻度２１３の更新を行う。一方、前記ステップＳ３２１でサムネイルの要求であると判断した場合は、ステップＳ３２３でサムネイルー覧を読み出し、それを要求元に渡す。
【００４７】
また、前記ステップＳ３２０で要求内容がテンプレート基本料金の取得であると判断した場合には、テンプレート管理手段２０３はテンプレート料金管理手段２０７を呼び出す。この場合、テンプレート料金管理手段２０７は、ステップＳ３２４で基本料金テーブル２１２から対象テンプレートの基本料金を読み出し、それを要求元に渡す。さらに、前記ステップＳ３２０で要求内容が使用頻度の読み出しであると判断した場合には、統計手段２０８を呼び出す。そして、ステップＳ３２６で統計手段２０８は、対象テンプレートの使用頻度２１３を読み出し、それを要求元に渡す。
【００４８】
このようにしてステップＳ３２４およびステップＳ３２６で読み出した基本料金と使用頻度とを料金決定手段２０４に渡すことで、料金決定手段２０４が管理する３つの料金レートテーブル２１４，２１５，２１６の中から店の意図に合致した料金レートテーブルを使用して、その時点での使用料金をテンプレートの使用頻度に応じて動的に計算することができる。これにより、画像編集サービス提供者が店での価格設定を行うに際し、店の意図に合わせた料金レートテーブルさえ作成すれば、テンプレートの使用頻度に応じた価格を自動的に設定することが可能になるという利点がある。
【００４９】
（第２の実施形態）
以上の第１の実施形態では、システムであらかじめ用意した複数の料金レートテーブルを選択的に用い、各種テンプレートの使用頻度を管理することにより、この使用頻度情報をもとに料金設定を動的に変更できるようにしていた。これに対して第２の実施形態では、第１の実施形態で説明した店の意図と各テンプレートの使用頻度に対応した料金計算を動的に行うことに加えて、図示しない顧客管理手段により管理された顧客毎の利用頻度も活用する。
【００５０】
例えば、テンプレートの使用料金は、基本料金に対して、テンプレートの各使用回数毎に上述した店の意図に合致するべく定められた上記レートと、顧客毎の本画像編集装置の利用頻度に対応して各使用回数毎に定められたレートとを掛け算することにより求めるようにする。このようにすれば、テンプレートの使用頻度および顧客の本画像編集装置の利用頻度の双方をもとに料金決定を行うことができる。よって、本実施形態によれば、使用類度の高いテンプレートは比較的価格を高めに設定し、さらに本画像編集装置の利用頻度の高い顧客に対しては、利用頻度の低い顧客よりも安い料金を設定するといったことを動的に行うことができるという利点がある。
【００５１】
上述した顧客毎の編集装置の利用頻度に対応して各使用回数毎に定められた料率の一例を表３に示す。表３のように、優良顧客、例えば使用回数が１万回を越えるような顧客には新しいテンプレートや未使用のテンプレートを安く提供し、また、何度も使って貰っているテンプレートについても安く提供するとともに、全体として料率を低くするように操作する。また、初期顧客、例えば使用回数が千回に満たない顧客については、当該編集装置をこれから利用してもらえるように使用回数の少ないテンプレートについては安く提供する。使用回数が千回から１万回程度の一般の顧客については、テンプレート毎の使用回数が増加すれば料金を安くするようにする。
【００５２】
【表３】
0003667031.tif 000004
【００５３】
本実施形態においては、上述した顧客毎の編集装置の利用頻度に対応して各使用回数毎に定められた料率（課金テーブル）と、先に説明した店の意図に対応した課金テーブルとを各使用回数毎に掛け算することによって、最終的な課金テーブルを得る。そして、その最終的な課金テーブルを参照して各テンプレートの使用回数に従って、各テンプレート毎の料金レートテーブルを算出する。
【００５４】
（第３の実施形態）
以上の第１の実施形態では、テンプレートの使用頻度に応じた料金を、基本料金テーブル２１２および料金レートテーブル２１４〜２１６に基づき計算していたが、あらかじめ決めておいた料金テーブルを使用頻度に応じて切り替えることにより決定するようにしても、第１の実施形態と同様な効果が得られる。
【００５５】
（その他の実施形態）
以上に述べた各実施形態では、サービス提供者が提供するサービスとして画像編集サービスを想定し、そのためのテンプレートの使用頻度に応じて料金を決定するようにしていたが、本発明はこのようなサービスやシステムに限定されるものではない。例えば、画像編集以外のあらゆるサービス（例えば音声情報の提供）に適用することが可能であるし、個々の情報毎に料金を決定するのではなく、１つのサービスに対してその利用頻度に応じた料金を決定するようなシステムに適用することも可能である。
【００５６】
【発明の効果】
本発明によれば、画像との合成に使用される毎に、自動的にテンプレートの使用頻度を更新して統計管理するようにしたので、当該テンプレートの実際の使用頻度に基づいて、その料金変更、売上管理や利益管理を行うことができ、テンプレートの提供者にとってもその利用者にとっても常に適切な料金でテンプレートが提供される。さらに、テンプレートの提供者がこれら料金変更、売上管理や利益管理にかける労力や経費、作業時間を大幅に削減することができる。
【図面の簡単な説明】
【図１】本発明の料金管理装置を適用した一実施形態である画像編集装置の構成を示すブロック構成図である。
【図２】本実施形態による画像編集装置のソフトウェア構成を示す図である。
【図３】本実施形態による画像福集装置のソフトウェア関連を示す図である。
【図４】画像入力の流れを示すフローチャートである。
【図５】テンプレートと画像との合成処理の流れを示すフローチャートである。
【図６】テンプレート管理の流れを示すフローチャートである。
【符号の説明】
１００  コンピュータ
１０１  表示装置
１０２  画像入力装置
１０３  画像出力装置
１０４  ＣＰＵ
１０５  ＲＯＭ
１０６  ＲＡＭ
１０７  表示コントローラ
１０８  ビデオＲＡＭ
１０９  ＨＤＤ（ハードディスク）
１１０  ＦＤＤ（フロッピーディスク）
１１１  画像入力インターフェイス
１１２  画像出力インターフェイス
１１３  バス
１１４  マニュアル操作デバイス
２００  画像入力手段
２０１  アプリケーション（合成手段）
２０２  出力手段
２０３  テンプレート管理手段
２０４  料金決定手段
２０５  シリアル番号一覧
２０６  テンプレート本体管理手段
２０７  テンプレート料金管理手段
２０８  統計手段
２０９  計数手段
２１０  シリアル番号
２１１  テンプレート本体
２１２  基本料金テーブル
２１３  使用頻度
２１４  第１の料金レートテーブル
２１５  第２の料金レートテーブル
２１６  第３の料金レートテーブル
２１７  画像プール
【図１】
0003667031.tif 000005
【図２】
0003667031.tif 000006
【図３】
0003667031.tif 000007
【図４】
0003667031.tif 000008
【図５】
0003667031.tif 000009
【図６】
0003667031.tif 000010